【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
ハウジングの外周に設けられたインバータボックスと、制御回路基板を有して前記インバータボックス内に収納設置されるインバータと、前記制御回路基板の一面に搭載されて前記インバータを構成する電気部品とを備えたインバータ一体型電動圧縮機において、
前記インバータボックスの内部に、前記ハウジングの外壁を構成し、且つ前記インバータの制御回路基板に対して平行な放熱用平面部を形成し、該放熱用平面部と前記制御回路基板との間のスペースに前記電気部品を配設し、
高さの異なる複数の前記電気部品を、その各々の背面が前記放熱用平面部に直接、又は熱伝導部材を介して当接するように、異なる高さで前記制御回路基板に搭載し、
複数の前記電気部品のうち、高さの高い方の電気部品に、高さの低い方の電気部品の側に延びて該電気部品に重なり、該電気部品を前記放熱用平面部側に押圧する延長部を一体的に形成したことを特徴とするインバータ一体型電動圧縮機。
【請求項２】
前記電気部品は、その基板側の面が前記制御回路基板に当接するように設置されていることを特徴とする請求項１に記載のインバータ一体型電動圧縮機。
【請求項３】
少なくとも１つの前記電気部品を覆うカバー部材を設け、該カバー部材を前記放熱用平面部側に締結固定することにより、前記電気部品を前記放熱用平面部側に当接させることを特徴とする請求項１または２に記載のインバータ一体型電動圧縮機。
【請求項４】
前記電気部品はコンデンサであり、該コンデンサは積層フィルム型コンデンサであることを特徴とする請求項１から３のいずれかに記載のインバータ一体型電動圧縮機。
【手続補正２】
【補正対象書類名】明細書
【補正対象項目名】００１５
【補正方法】変更
【補正の内容】
【００１５】
上記課題を解決するために、本発明は、以下の手段を採用する。
即ち、本発明に係るインバータ一体型電動圧縮機は、ハウジングの外周に設けられたインバータボックスと、制御回路基板を有して前記インバータボックス内に収納設置されるインバータと、前記制御回路基板の一面に搭載されて前記インバータを構成する電気部品とを備えたインバータ一体型電動圧縮機において、前記インバータボックスの内部に、前記ハウジングの外壁を構成し、且つ前記インバータの制御回路基板に対して平行な放熱用平面部を形成し、該放熱用平面部と前記制御回路基板との間のスペースに前記電気部品を配設し、高さの異なる複数の前記電気部品を、その各々の背面が前記放熱用平面部に直接、又は熱伝導部材を介して当接するように、異なる高さで前記制御回路基板に搭載し、複数の前記電気部品のうち、高さの高い方の電気部品に、高さの低い方の電気部品の側に延びて該電気部品に重なり、該電気部品を前記放熱用平面部側に押圧する延長部を一体的に形成したことを特徴とする。
【手続補正３】
【補正対象書類名】明細書
【補正対象項目名】００１７
【補正方法】変更
【補正の内容】
【００１７】
しかも、電気部品が放熱用平面部に近接して設けられるため、各電気部品の熱が均一かつ効果的に放熱用平面部側に放熱されて冷却性が向上する。さらに、外部からの電源ケーブルが接続される電気部品を、制御回路基板の自由な位置に配置できるため、配線レイアウトの自由度が高まる。
また、本発明によれば、高さの低い方の電気部品が、高さの高い方の電気部品によって放熱用平面部側に押圧され、高さの低い方の電気部品の発する熱が効率良く放熱用平面部側に放熱される。
【手続補正４】
【補正対象書類名】明細書
【補正対象項目名】００１８
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００３１
【補正方法】変更
【補正の内容】
【００３１】
【図１】本発明の第１参考実施形態に係るインバータ一体型電動圧縮機の概略構成を説明する縦断面図である。
【図２】図１のII-II線に沿う縦断面図である。
【図３】インバータを構成する制御回路基板と熱伝導部材の斜視図である。
【図４】制御回路基板付近の縦断面図である。
【図５】積層フィルム型コンデンサと巻回型フィルムコンデンサの縦断面図である。
【図６】制御回路基板における電気部品の配置例を（ａ）〜（ｄ）の４通りで示す平面図である。
【図７】本発明の第２参考実施形態を示す制御回路基板付近の縦断面図である。
【図８】図７のVIII矢視による平滑コンデンサの平面図である。
【図９】本発明の第３参考実施形態を示す制御回路基板付近の縦断面図である。
【図１０】本発明の実施形態を示す制御回路基板付近の縦断面図である。
【図１１】図１０のXI矢視による制御回路基板の平面図である。
【図１２】本発明の第４参考実施形態を示す制御回路基板付近の縦断面図である。
【図１３】本発明の第５参考実施形態を示す制御回路基板付近の縦断面図である。
【図１４】本発明の第６参考実施形態を示す制御回路基板付近の縦断面図である。
【図１５】図１４のXV矢視による制御回路基板の平面図である。
【図１６】図１４に示すカバー部材と電気部品の分解図である。
【手続補正１０】
【補正対象書類名】明細書
【補正対象項目名】００３２
【補正方法】変更
【補正の内容】
【００３２】
以下に、本発明に係るインバータ一体型電動圧縮機の実施形態について、図面を参照して説明する。
【手続補正１１】
【補正対象書類名】明細書
【補正対象項目名】００３３
【補正方法】変更
【補正の内容】
【００３３】
〔第１参考実施形態〕
以下、本発明の第１参考実施形態について、図１〜図６を参照して説明する。図１は、本参考実施形態に係るインバータ一体型電動圧縮機の構成の概略を説明する縦断面図である。このインバータ一体型電動圧縮機１は、車両用空気調和機に用いられる圧縮機であって、インバータにより駆動回転数が制御されるものである。
【手続補正１２】
【補正対象書類名】明細書
【補正対象項目名】００３９
【補正方法】変更
【補正の内容】
【００３９】
上部基板２５Ａは、例えばインバータボックス２３の四隅に形成された基板締結ボス３４にビス３５で締結固定されている。また、下部基板２５Ｂは、後述する各種の固定構造によってインバータボックス２３内に固定され、この下部基板２５Ｂと放熱用平面部３１との間にスペースＳが形成されている。なお、ここでは、例えば上部基板２５Ａが、ＣＰＵ等の低電圧で動作する素子を備えたＣＰＵ基板とされ、下部基板２５Ｂが、平滑コンデンサ３７やパワーモジュール３８等の発熱素子を備えたパワー基板とされている。また、本参考実施形態においては、インバータ２１の構成機器として、上部基板２５Ａおよび下部基板２５Ｂのみが示され、他の機器は図示省略されているものとする。
【手続補正１３】
【補正対象書類名】明細書
【補正対象項目名】００５５
【補正方法】変更
【補正の内容】
【００５５】
〔第２参考実施形態〕
次に、本発明の第２参考実施形態について、図７および図８を参照して説明する。
図７において、図４に示す第１参考実施形態の構成と同一な部分には同一符号を付して説明は省略する。
この第２参考実施形態においても、放熱用平面部３１の上には熱伝導部材４１が図示しない固定部材や接着等によって敷設されている。そして、熱伝導部材４１の四隅に配置された複数の支持柱部材５１の上に下部基板２５Ｂが載置されてビス５２で締結固定されている。
【手続補正１４】
【補正対象書類名】明細書
【補正対象項目名】００５８
【補正方法】変更
【補正の内容】
【００５８】
〔第３参考実施形態〕
次に、本発明の第３参考実施形態について、図９を参照して説明する。
図９において、図４に示す第１参考実施形態の構成と同一な部分には同一符号を付して説明は省略する。
この第３参考実施形態において、放熱用平面部３１の上には熱伝導部材が敷設されていないが、敷設してもよい。下部基板２５Ｂの下面に搭載されている平滑コンデンサ３７やパワーモジュール３８等の電気部品は、その各々の背面が放熱用平面部３１の上面に密着するように、それぞれ締結片５３およびビス５４，５５によって放熱用平面部３１に締結固定され、放熱性の向上が図られている。
【手続補正１５】
【補正対象書類名】明細書
【補正対象項目名】００６１
【補正方法】変更
【補正の内容】
【００６１】
〔実施形態〕
次に、本発明の実施形態について、図１０および図１１を参照して説明する。
ここでは、下部基板２５Ｂの下面に搭載されている平滑コンデンサ３７やパワーモジュール３８等の複数の電気部品のうち、高さの高い方の電気部品、即ち平滑コンデンサ３７には、高さの低い方の電気部品、即ちパワーモジュール３８の側に延びて、パワーモジュール３８の上に重なる延長部６２が一体的に形成されている。具体的には、パワーモジュール３８の外殻を構成している樹脂製のカバー部材６１に延長部６２が一体成形されており、この延長部６２がパワーモジュール３８上に重なって、パワーモジュール３８を放熱用平面部３１側に押圧するようになっている。なお、平滑コンデンサ３７自身の背面も放熱用平面部３１の上面に当接している。
【手続補正１６】
【補正対象書類名】明細書
【補正対象項目名】００６４
【補正方法】変更
【補正の内容】
【００６４】
〔第４参考実施形態〕
次に、本発明の第４参考実施形態について、図１２を参照して説明する。
ここでは、図９に示す第３参考実施形態の場合と同様に、下部基板２５Ｂの下面に搭載された平滑コンデンサ３７は、その背面が放熱用平面部３１の上面に密着するように締結片５３およびビス５４によって放熱用平面部３１に締結固定されている。また、同じく下部基板２５Ｂの下面に搭載されたパワーモジュール３８は、その背面が放熱用平面部３１の上面に敷設された小さい熱伝導部材４１の上面に密着するように設けられ、ビス５５によって熱伝導部材４１に締結固定されている。
【手続補正１７】
【補正対象書類名】明細書
【補正対象項目名】００６５
【補正方法】変更
【補正の内容】
【００６５】
一方、下部基板２５Ｂ自体は、図７に示す第２参考実施形態の場合と同様に、その中間部および平滑コンデンサ３７とは反対側の縁部とが、熱伝導部材４１の四隅に配置された複数の支持柱部材５１の上に載置されてビス５２で締結固定されている。平滑コンデンサ３７の熱は放熱用平面部３１に直接放熱され、パワーモジュール３８の熱は熱伝導部材４１を経て放熱用平面部３１に放熱される。
【手続補正１８】
【補正対象書類名】明細書
【補正対象項目名】００６７
【補正方法】変更
【補正の内容】
【００６７】
〔第５参考実施形態〕
次に、本発明の第５参考実施形態について、図１３を参照して説明する。
ここでも、下部基板２５Ｂの下面に平滑コンデンサ３７とパワーモジュール３８が搭載されており、下部基板２５Ｂの下面からの突出量は、平滑コンデンサ３７の方がパワーモジュール３８よりも大きくなっている。放熱用平面部３１の上面には角形の収容凹部７１が刻設されており、この収容凹部７１に平滑コンデンサ３７の下半分が密に収まるようになっている。また、パワーモジュール３８の背面は放熱用平面部３１の上面に当接している。平滑コンデンサ３７とパワーモジュール３８は、その各々の背面が放熱用平面部３１に密着するように、それぞれ締結片５３およびビス５４，５５によって締結固定されている。
【手続補正１９】
【補正対象書類名】明細書
【補正対象項目名】００６９
【補正方法】変更
【補正の内容】
【００６９】
〔第６参考実施形態〕
次に、本発明の第６参考実施形態について、図１４〜図１６を参照して説明する。
ここでは、例えば樹脂材料により形成された矩形のカバー部材８１の内部に、下部基板２５Ｂが一体的にモールドされている。つまり、カバー部材８１がそのまま下部基板２５Ｂとして機能している。図１６に明確に示すように、カバー部材８１の下面には大小２つの凹部８２，８３が凹設されており、大きい方の凹部８２に平滑コンデンサ３７が嵌め込まれ、小さい方の凹部８３にパワーモジュール３８が嵌め込まれる。平滑コンデンサ３７とパワーモジュール３８の背面は、カバー部材８１の下面に対して面一となり、この面が全面的に放熱用平面部３１に当接する。
【手続補正２０】
【補正対象書類名】明細書
【補正対象項目名】００７３
【補正方法】変更
【補正の内容】
【００７３】
なお、本発明は、上述した各実施形態の態様のみに限定されないことは言うまでもない。例えば、前記各実施形態の構成を適宜組み合わせる等、特許請求の範囲を逸脱しない程度の変更を加えることも考えられる。
【手続補正２１】
【補正対象書類名】明細書
【補正対象項目名】００７４
【補正方法】変更
【補正の内容】
【００７４】
１  インバータ一体型電動圧縮機
２  ハウジング
８  スクロール型圧縮機
１０  電動機
２１  インバータ
２３  インバータボックス
２５Ｂ  下部基板（制御回路基板）
３１  放熱用平面部
３７  平滑コンデンサ（電気部品）
３８  パワーモジュール（電気部品）
４１  熱伝導部材
４５  電源ケーブル
６２  延長部
８１  カバー部材
Ｓ  スペース